(57)【要約】【課題】演奏曲の反復演奏における手間を省くことができるカラオケ装置を提供する。【解決手段】リモコン装置６４等の入力装置による入力操作に応じて、対象となる演奏曲の中途における位置を指定する位置指定手段１５２と、その位置指定手段１５２により指定された指定位置を前記対象となる演奏曲の情報と関連付けてサーバ２０の記憶装置１４４に登録する登録手段１５０と、その登録手段１５０により登録された対象となる演奏曲の情報及び指定位置を前記記憶装置１４４から読み出す読出手段１５６と、その読出手段１５６により読み出された対象となる演奏曲の出力に際して、その演奏曲の情報と関連付けられて登録された指定位置を演奏開始位置としてその演奏曲の出力を行う演奏制御手段１５８とを、有することから、所望される部分のみを繰り返し歌う際にいちいち頭出しをする煩雑さが解消される。【選択図】図９
2007199417.tif 000002
【特許請求の範囲】
【請求項１】
多数の演奏曲のうちから選択される所定の演奏曲を出力させるカラオケ装置であって、
所定の入力装置による入力操作に応じて、対象となる演奏曲の中途における位置を指定する位置指定手段と、
該位置指定手段により指定された指定位置を前記対象となる演奏曲の情報と関連付けて所定の記憶装置に登録する登録手段と、
該登録手段により登録された対象となる演奏曲の情報及び指定位置を前記記憶装置から読み出す読出手段と、
該読出手段により読み出された対象となる演奏曲の出力に際して、該演奏曲の情報と関連付けられて登録された指定位置を演奏開始位置として該演奏曲の出力を行う演奏制御手段と
を、有することを特徴とするカラオケ装置。
【請求項２】
前記位置指定手段は、所定の入力装置による入力操作に応じて、対象となる演奏曲の中途における位置を演奏開始位置又は演奏終了位置として指定するものであり、
前記演奏制御手段は、前記読出手段により読み出された対象となる演奏曲の出力に際して、該演奏曲の情報と関連付けられて登録された演奏開始位置から演奏終了位置までの該演奏曲の出力を行うものである請求項１のカラオケ装置。
【請求項３】
前記登録手段は、前記演奏曲の情報及び指定位置を利用者の顧客情報と関連付けて前記記憶装置に登録するものである請求項１又は２のカラオケ装置。
【請求項４】
前記位置指定手段は、前記対象となる演奏曲の出力に際して行われる所定の入力装置による入力操作に応じて、該対象となる演奏曲の中途における位置を指定するものである請求項１から３の何れかのカラオケ装置。
【請求項５】
前記対象となる演奏曲の歌詞文字映像を映像表示装置に一覧表示させる表示制御手段を有し、
前記位置指定手段は、該表示制御手段により表示される対象となる演奏曲の歌詞文字映像の一覧表示に基づいて行われる所定の入力装置による入力操作に応じて、該対象となる演奏曲の中途における位置を指定するものである請求項１から３の何れかのカラオケ装置。
【請求項６】
請求項１から５の何れかのカラオケ装置と、
前記記憶装置を備え、所定の通信回線を介して該カラオケ装置との間で情報の通信を行い得るサーバと
を、備えたことを特徴とするカラオケシステム。
【発明の詳細な説明】
【技術分野】
【０００１】
本発明は、カラオケボックス等で使用されるカラオケ装置及びそのカラオケ装置を用いたカラオケシステムに関し、特に、利用者が繰り返し歌う演奏曲を登録する演奏曲登録機能の改良に関する。
【背景技術】
【０００２】
多数の演奏曲のうちから選択される所定の演奏曲を出力させる音楽再生装置が知られている。例えば、カラオケボックス等で使用されるカラオケ装置がそれである。斯かるカラオケ装置によれば、予め記憶装置に記憶された多数のカラオケ演奏曲から選択された所定のカラオケ演奏曲の音楽情報を出力させると共に、そのカラオケ演奏曲の歌詞情報を含む映像をその出力に同期して画面に表示させることで、所望の歌のカラオケ演奏を楽しむことができる。
【０００３】
近年、斯かるカラオケ装置として、単にカラオケ演奏曲を出力させるカラオケ演奏機能のみならず、そのカラオケ演奏における利便性の向上等を目的として種々の機能を備えたものが提案されている。例えば、特許文献１に記載されたカラオケ装置における演奏曲登録機能がそれである。この演奏曲登録機能は、利用者が繰り返し歌う演奏曲を直接選曲（選曲番号の入力を要しない選曲）可能に登録する所謂十八番機能であり、斯かる機能が備えられていることで、利用者が何度も歌う演奏曲のカラオケ演奏に関していちいち選曲番号を入力する等の手間を省くことができる。
【０００４】
【特許文献１】特開平９−１１４４７５号公報
【発明の開示】
【発明が解決しようとする課題】
【０００５】
ところで、前述した演奏曲登録機能は、利用者が得意としている演奏曲や好きな演奏曲を登録する場合の他に、繰り返し練習して上達したい演奏曲を登録する場合すなわち反復練習を目的とする利用態様が少なくないものと考えられる。斯かる演奏曲の歌唱練習では、その演奏曲の中で歌唱が難しい部分、例えば邦楽曲における外国語歌詞部分や非ラップ曲におけるラップ部分等を集中的に練習したい場合が出てくる。しかし、そのように演奏曲の所定部分のみを繰り返し練習したい場合、前述したような従来の技術では、早送り機能等を用いて該当部分をいちいち頭出しする必要があり煩雑であった。
【０００６】
本発明は、以上の事情を背景として為されたものであり、その目的とするところは、演奏曲の反復演奏における手間を省くことができるカラオケ装置及びカラオケシステムを提供することにある。
【課題を解決するための手段】
【０００７】
斯かる目的を達成するために、本第１発明の要旨とするところは、多数の演奏曲のうちから選択される所定の演奏曲を出力させるカラオケ装置であって、所定の入力装置による入力操作に応じて、対象となる演奏曲の中途における位置を指定する位置指定手段と、その位置指定手段により指定された指定位置を前記対象となる演奏曲の情報と関連付けて所定の記憶装置に登録する登録手段と、その登録手段により登録された対象となる演奏曲の情報及び指定位置を前記記憶装置から読み出す読出手段と、その読出手段により読み出された対象となる演奏曲の出力に際して、その演奏曲の情報と関連付けられて登録された指定位置を演奏開始位置としてその演奏曲の出力を行う演奏制御手段とを、有することを特徴とするものである。
【０００８】
また、前記目的を達成するために、本第２発明の要旨とするところは、上記第１発明のカラオケ装置と、前記記憶装置を備え、所定の通信回線を介してそのカラオケ装置との間で情報の通信を行い得るサーバとを、備えたことを特徴とするカラオケシステムである。
【発明の効果】
【０００９】
前記第１発明によれば、所定の入力装置による入力操作に応じて、対象となる演奏曲の中途における位置を指定する位置指定手段と、その位置指定手段により指定された指定位置を前記対象となる演奏曲の情報と関連付けて所定の記憶装置に登録する登録手段と、その登録手段により登録された対象となる演奏曲の情報及び指定位置を前記記憶装置から読み出す読出手段と、その読出手段により読み出された対象となる演奏曲の出力に際して、その演奏曲の情報と関連付けられて登録された指定位置を演奏開始位置としてその演奏曲の出力を行う演奏制御手段とを、有することから、利用者が繰り返し歌う演奏曲においてその演奏開始位置を指定しての登録が可能とされ、所望される部分のみを繰り返し歌う際にいちいち頭出しをする煩雑さが解消される。すなわち、演奏曲の反復演奏における手間を省くことができるカラオケ装置を提供することができる。
【００１０】
ここで、前記第１発明において、好適には、前記位置指定手段は、所定の入力装置による入力操作に応じて、対象となる演奏曲の中途における位置を演奏開始位置又は演奏終了位置として指定するものであり、前記演奏制御手段は、前記読出手段により読み出された対象となる演奏曲の出力に際して、その演奏曲の情報と関連付けられて登録された演奏開始位置から演奏終了位置までのその演奏曲の出力を行うものである。このようにすれば、利用者が繰り返し歌う演奏曲においてその演奏開始位置及び演奏終了位置を指定しての登録が可能とされ、所望される部分のみを繰り返し歌う場合における手間を更に省くことができるという利点がある。
【００１１】
また、好適には、前記登録手段は、前記演奏曲の情報及び指定位置を利用者の顧客情報と関連付けて前記記憶装置に登録するものである。このようにすれば、繰り返し歌う演奏曲においてその演奏開始位置を指定しての登録が利用者毎に可能とされるという利点がある。
【００１２】
また、好適には、前記位置指定手段は、前記対象となる演奏曲の出力に際して行われる所定の入力装置による入力操作に応じて、その対象となる演奏曲の中途における位置を指定するものである。このようにすれば、対象となる演奏曲の中途における位置を実用的な態様で指定できるという利点がある。
【００１３】
また、好適には、前記対象となる演奏曲の歌詞文字映像を映像表示装置に一覧表示させる表示制御手段を有し、前記位置指定手段は、その表示制御手段により表示される対象となる演奏曲の歌詞文字映像の一覧表示に基づいて行われる所定の入力装置による入力操作に応じて、その対象となる演奏曲の中途における位置を指定するものである。このようにすれば、対象となる演奏曲の中途における位置を実用的な態様で指定できるという利点がある。
【００１４】
また、前記第２発明によれば、前記第１発明のカラオケ装置と、前記記憶装置を備え、所定の通信回線を介してそのカラオケ装置との間で情報の通信を行い得るサーバとを、備えたものであることから、利用者が繰り返し歌う演奏曲においてその演奏開始位置を指定しての登録が可能とされ、所望される部分のみを繰り返し歌う際にいちいち頭出しをする煩雑さが解消される。すなわち、演奏曲の反復演奏における手間を省くことができるカラオケシステムを提供することができる。
【００１５】
更に、好適には、前記カラオケシステムを所謂クライアント・サーバ・モデルとすることにより、登録を行ったクライアントに依存することなく、別クライアントであっても登録情報すなわち前記位置指定情報等の読み出しが可能とされる。
【００１６】
以下、本発明の好適な実施例を図面に基づいて詳細に説明する。
【実施例】
【００１７】
図１は、本第２発明の一実施例であるカラオケシステム１０を説明する概略図である。この図１に示すように、上記カラオケシステム１０では、カラオケボックス、スナック、旅館等の店舗１２における複数の個室１４ａ、１４ｂ、１４ｃ、・・・（以下、特に区別しない場合には単に個室１４と称する）にそれぞれ１台乃至は複数台ずつ（図１では１台ずつ）の本第１発明の一実施例であるカラオケ装置１６ａ、１６ｂ、１６ｃ、・・・（以下、特に区別しない場合には単にカラオケ装置１６と称する）が設置されている。これら複数のカラオケ装置１６のうち、マスターコマンダである所定のカラオケ装置１６ａは、公衆電話回線等による通信回線１８を介してカラオケサービス提供会社のサーバ（センタ装置）２０に接続されており、そのサーバ２０と上記カラオケ装置１６ａの相互間で情報の通信が可能とされている。このサーバ２０は、カラオケ情報、背景映像情報、曲間情報等のデジタルコンテンツ（Digital Contents）の保管や入出力管理の基本的な制御を行うサーバであり、上記通信回線１８を介してマスターコマンダであるカラオケ装置１６ａに定期的にコンテンツの配信を行うと共に、そのカラオケ装置１６ａからの要求に応じて所定のコンテンツや機能制御プログラム等を送信するものである。また、上記カラオケ装置１６から送信される十八番情報の記憶、管理、及びそのカラオケ装置１６からの要求に応じての配信等、後述する十八番情報に関する種々の制御を行う。また、上記カラオケシステム１０は、複数の電子早見本装置２２ａ、２２ｂ、２２ｃ、・・・（以下、特に区別しない場合には単に電子早見本装置２２と称する）を備えており、上記カラオケ装置１６の利用に際して、各利用者（グループ）毎に１台ずつの電子早見本装置２２が貸与され、各個室１４において後述するように上記カラオケ装置１６の遠隔操作装置として用いられるようになっている。また、上記店舗１２内には上記複数のカラオケ装置１６を相互に接続するＬＡＮ２４が敷設されており、上記電子早見本装置２２からのカラオケ装置１６への入力は、所定のアクセスポイント２６及びＬＡＮ２４を介したＬＡＮ通信等により行われる。
【００１８】
図２は、上記カラオケ装置１６の構成を例示するブロック線図である。この図２に示すように、上記カラオケ装置１６は、ＣＲＴ（Cathode-ray Tube）等の映像表示装置３０と、映像情報デコーダ３２と、ビデオミキサ３４と、アンプミキサ３６と、スピーカ３８と、マイクロフォン４０と、操作パネル４２と、中央演算処理装置であるＣＰＵ４４と、読出専用メモリであるＲＯＭ４６と、随時書込読出メモリであるＲＡＭ４８と、記憶装置であるハードディスク５０と、モデム５２と、ＬＡＮポート５４と、ＣＲＴコントローラ５６と、上記操作パネル４２等の入出力信号を処理する入出力インターフェイス５８と、音源であるシンセサイザ６０と、上記電子早見本装置２２、携帯電話機８２、及びリモコン装置６４等の入力装置（遠隔入力端末装置）からのリモコン信号を受信するためのリモコン受信部６２とを、備えて構成されている。
【００１９】
上記ＣＰＵ４４は、上記ＲＡＭ４８の一時記憶機能を利用しつつ上記ＲＯＭ４６に予め記憶された所定のプログラムに基づいて電子情報を処理・制御する所謂コンピュータであり、上記電子早見本装置２２や携帯電話機８２等により所定のカラオケ演奏曲が選曲された場合、その選曲されたカラオケ演奏曲を上記ＲＡＭ４８に設けられた予約曲テーブルに登録したり、その予約曲テーブルの演奏順に従って上記ハードディスク５０から上記ＲＡＭ４８に選曲されたカラオケ演奏曲の演奏情報及び歌詞情報等を読み出したり、カラオケ演奏曲の演奏が進行するのに応じてそのＲＡＭ４８から上記シンセサイザ６０へ演奏情報を送信したり、歌詞情報に基づいて歌詞文字映像を生成して上記ＣＲＴコントローラ５６へ送ったり、選曲時には曲名文字映像を生成して上記ＣＲＴコントローラ５６へ送ったり、上記映像情報デコーダ３２を制御して所定の背景映像を再生させたり、カラオケ演奏が行われていない間すなわち曲間において、新譜情報、選曲ランキング、店舗広告等の曲間情報を出力させたり、前記通信回線１８を介した前記サーバ２０との間の情報通信やＬＡＮ２４を介した前記電子早見本装置２２との間の情報通信制御等の基本的な制御を実行すると共に、後述する演奏曲（十八番）登録制御や十八番演奏制御等を行う。
【００２０】
前記操作パネル４２は、前記カラオケ装置１６の利用者が歌いたいカラオケ演奏曲を選択したり、演奏曲の音程を調整したり、演奏と歌との音量バランスを調整したり、その他、エコー、音量、トーン等の各種調整を行うための操作ボタン（スイッチ）或いはつまみを備えた入力装置である。また、前記カラオケ装置１６には、前記操作パネル４２の一部機能を遠隔で実行するための入力装置（遠隔入力端末装置）として機能するリモコン装置６４（図３参照）が備えられており、前記リモコン受信部６２は、そのリモコン装置６４から送信されるリモコン信号を受信して前記ＣＰＵ４４へ供給する。また、前記カラオケ装置１６と電子早見本装置２２との対応付け（くくりつけ）処理も前記リモコン受信部６２を介して行われ、そのようにして前記カラオケ装置１６に対応付けられた電子早見本装置２２も同様に入力装置として機能する。また、リモコン送信機能を有する携帯電話機８２（図４参照）も上記電子早見本装置２２やリモコン装置６４等と同様に入力装置として用いられる。
【００２１】
前記映像情報デコーダ３２は、利用者が歌詞を参照しながら歌を歌う際に前記ハードディスク５０に記憶された背景映像情報に基づいて所定の背景映像を再生（デコード）する背景映像再生装置である。この背景映像情報は、例えばＭＰＥＧ（Moving Picture Experts Group）形式のデータであり、そのＭＰＥＧデータに基づいて前記映像情報デコーダ３２により再生された背景映像は、前記ビデオミキサ３４へ送られる。また、前記ＣＲＴコントローラ５６は、前記ＣＰＵ４４において生成された歌詞文字映像等の文字映像（テロップ）を出力する文字映像出力装置であり、前記ビデオミキサ３４は、前記ＣＰＵ４４において生成され且つ前記ＣＲＴコントローラ５６から出力される文字映像等と、前記映像情報デコーダ３２により再生される背景映像とを合成して前記映像表示装置３０に表示させる映像合成装置である。また、前記ＣＲＴコントローラ５６は、前記映像表示装置３０に後述する図１０乃至図１３に示すような画面を表示させる映像表示制御装置として機能する。
【００２２】
前記シンセサイザ６０は、前記ハードディスク５０から読み出されて送られて来るカラオケ演奏曲の演奏情報に基づいて楽器の演奏信号等の音楽信号を生成する音源である。この演奏情報は、例えば、ＭＩＤＩ（Musical Instrument Digital Interface）形式のデータであり、そのＭＩＤＩデータに基づいて前記シンセサイザ６０により生成された音楽信号は、アナログ信号に変換されて前記アンプミキサ３６へ送られる。そのアンプミキサ３６では、送られてきた音楽信号と前記マイクロフォン４０を介して入力される利用者の歌声とがミキシングされ、それらの信号が電気的に増幅されて前記スピーカ３８から出力される。
【００２３】
前記モデム５２は、前記カラオケ装置１６を公衆電話回線等による通信回線１８に接続するための装置であり、前記ＣＰＵ４４から出力されるディジタル信号をアナログ信号に変換して前記通信回線１８に送り出すと共に、その通信回線１８を介して伝送されるアナログ信号をディジタル信号に変換して前記ＣＰＵ４４に供給する処理を行う。なお、このモデム５２は、マスターコマンダとして機能するカラオケ装置１６ａには必要とされるが、前記サーバ２０との間で情報の通信を行わない他のカラオケ装置１６には必ずしも設けられなくともよい。すなわち、マスターコマンダではないカラオケ装置１６ｂ、１６ｃ、１６ｄ、・・・は、マスターコマンダである前記カラオケ装置１６ａを介して前記サーバ２０等との間で情報の送受信を行う。
【００２４】
前記ＬＡＮポート５４は、前記カラオケ装置１６をＬＡＮ２４を介して他のカラオケ装置１６や電子早見本装置２２等の他の機器に接続するための接続器であり、前記カラオケ装置１６は、そのようにＬＡＮ２４を介して接続されることで、他のカラオケ装置１６や電子早見本装置２２等の他の機器との間で情報の送受信が可能とされる。例えば、前記アクセスポイント２６により受け付けられる前記電子早見本装置２２からの選曲入力を受け付けたり、前記カラオケ装置１６から電子早見本装置２２へ所定の情報を送信したりというように、電波を介して前記カラオケ装置１６と電子早見本装置２２との間における相互の情報のやりとりが実行される。
【００２５】
前記ハードディスク５０には、カラオケ演奏曲を出力させるための多数のカラオケ情報を記憶するカラオケデータベース５１等の各種データベースが設けられている。カラオケボックス等の店舗にそれぞれ備えられた複数のカラオケ装置１６のうちマスターコマンダとして機能するカラオケ装置１６ａは、前記モデム５２を介して前記通信回線１８に接続されており、前記複数のカラオケ装置１６によって常に新しい曲が演奏可能とされるように、随時新たなカラオケ情報が前記サーバ２０から前記通信回線１８を介して配信され、前記ハードディスク５０のカラオケデータベース５１等に記憶される。また、そのようにして前記サーバ２０から情報を取得したカラオケ装置１６ａとその他のカラオケ装置１６との間で前記ＬＡＮ２４を介した通信が行われることにより、各カラオケ装置１６のハードディスク５０に記憶される情報が共有され、カラオケデータベース５１等の内容が等価なものとされる。上記カラオケデータベース５１に記憶されるカラオケ情報は、曲名、歌手名、及びジャンル情報等を含むヘッダ情報、演奏情報としてのＭＩＤＩデータ、及び演奏曲の歌詞情報等を含む情報であり、各演奏曲毎にインデックスとしての選曲番号が定められている。また、好適には、その演奏曲における演奏の区分（Ａメロ、Ｂメロ、サビ等）を定義する区分情報を含んでいる。
【００２６】
図３は、前記リモコン装置６４の操作部を例示する図である。この図３に示すように、前記リモコン６４の操作部には、例えば、０から９までの数字を示す１０個の数字釦６６、選曲／送信釦（以下、単に選曲釦と称する）６８、左右上下の矢印釦７０、取消釦７２、演奏停止釦７４、割込釦７６、及びエフェクトを出力させるために入力操作される拍手／ＳＥ釦（以下、単にＳＥ釦と称する）７８が備えられている。また、操作補助・確認のための表示部８０が設けられている。上記数字釦６６は、選曲番号の入力や後述するエフェクト番号の指定等を行うための釦（スイッチ）であり、その数字釦６６が押されることで数字等が上記表示部８０に表示される。また、上記取消釦７２が押されることで上記表示部８０に表示された数字等が消去させられる。選曲操作においては、上記表示部８０に所定の数字が表示された状態で上記選曲釦６８が押されることでその選曲番号が発信されて前記カラオケ装置１６に登録される。また、エフェクト出力操作においては、上記表示部８０に所定の数字が表示された状態で上記ＳＥ釦７８が押されることでその番号が発信されて前記カラオケ装置１６により所定のエフェクト音声及びエフェクト映像が出力される。左右上下の矢印釦７０は、前記映像表示装置３０に選択肢が表示された際、同様に表示されるカーソル等を左右上下に移動させるための釦であり、その矢印釦７０の操作に応じてカーソル移動信号が出力され、上記選曲釦６８が押されることにより選択された項目が確定する。また、前記カラオケ装置１６によるカラオケ演奏中に左右の矢印釦７０が操作されると、演奏音の音程を変更するための音程変更信号が出力される。上記演奏停止釦７４は、カラオケ演奏を中途で停止するための釦であり、前記カラオケ装置１６による演奏中にこの演奏停止釦７４が押されると、その時点において演奏されているカラオケ演奏が停止される。上記割込釦７６は、前記カラオケ装置１６のＲＡＭ４８に記憶された演奏順（予約曲テーブル）に所望の演奏曲を割り込ませる割込選曲操作を行うための釦であり、その割込釦７６が押されると、その時点で演奏されている曲の次に演奏されるように所望の演奏曲を予約することができる。
【００２７】
図４は、前記携帯電話機８２の操作部を例示する図である。この携帯電話機８２は、公衆電話回線に接続されその公衆電話回線を介して通話を行う電話機としての機能に加えて、前記カラオケ装置１６へリモコン信号を送信するためのリモコン送信機能を備えている。また、図４に示すように、前記携帯電話機８２における折り畳まれることで相対向する１対の面には、複数個（図４では１２個）の文字入力釦８４、開始釦８６、電源釦８８、左右上下の移動釦９０、メール釦９２、クリア釦９４、決定釦９６、及び画像表示装置として機能する表示部９８が設けられている。上記文字入力釦８４は、所望の文字を入力するための釦（スイッチ）であり、その文字入力釦８４が押されることにより、また必要に応じて所定の文字変換操作が行われることにより、所望の文字が上記表示部９８に表示される。上記開始釦８６は、電話をかけたりメールを送信したりするための釦であり、上記表示部９８に所定の電話番号が表示されている際にその開始釦８６が押されることにより、その電話番号に電話をかけることができる。また、その表示部９８に所定のメールアドレスが表示されている際にその開始釦８６が押されることにより、そのメールアドレスにメールが送信される。上記電源釦８８は、通話を中止したり電源を入れたりするための釦であり、通話中にその電源釦８８が押されることにより、その通話が中止される。また、電源がオフである際にその電源釦８８が一定時間押されることにより、電源がオンの状態となる一方、電源がオンである際にその電源釦８８が一定時間押されることにより、電源がオフの状態となる。上記移動釦９０は、上記表示部９８に表示されるカーソルを左右上下に移動させるため等に押される釦である。上記メール釦９２は、メール管理モードに入るため等に押される釦である。上記クリア釦９４は、上記表示部９８に表示された文字を消すため等に押される釦である。上記決定釦９６は、上記表示部９８に表示された内容で各種設定の項目を決定したり、文字変換を決定したりするため等に押される釦である。また、この携帯電話機８２が前記カラオケ装置１６の入力装置として用いられる際には、その携帯電話機８２に設けられた上記複数種類の入力釦が前記リモコン装置６４に設けられた前記複数種類の入力釦に対応させられる。例えば、前記文字入力釦８４が数字釦６６に、決定釦９６が選曲釦６８に、移動釦９０が矢印釦７０に、クリア釦９４が取消釦７２に、電源釦８８が停止釦７４に、開始釦８６が割込釦７６に、メール釦９２がＳＥ釦７８にそれぞれ対応付けられる。これにより、前記携帯電話機８２は、前記リモコン装置６４と同様に前記カラオケ装置１６の入力装置として機能する。
【００２８】
図５は、前記電子早見本装置２２の外観を大まかに示す斜視図である。この図５に示すように、前記電子早見本装置２２は、所定の画像（映像）を表示させると共に、利用者の接触に応じて入力を行うためのタッチパネルディスプレイ１０２を備えている。また、前記カラオケ装置１６との間でデータの送受信や同期を実行したり、前記電子早見本装置２２に内蔵されたバッテリを充電する等の動作を行うスタンド型の接続架台（ドッキングテーブル）であるクレイドル１００を備えている。前記電子早見本装置２２は、そのクレイドル１００に取り付けられた状態又はそのクレイドル１００から取り外された状態で用いられ、取り付けられた状態においては、そのクレイドル１００及びＬＡＮ２４を介して前記カラオケ装置１６に有線接続されるようになっている。また、上記クレイドル１００から取り外された状態においては、上記アクセスポイント２６及びＬＡＮ２４を介して前記カラオケ装置１６に無線接続されるようになっている。
【００２９】
図６は、前記電子早見本装置２２の構成を説明するブロック線図である。この図６に示すように、前記電子早見本装置２２は、上記タッチパネルディスプレイ１０２に所定の映像を表示させる表示装置１０４と、その表示装置１０４による表示を制御する表示制御部１０６と、利用者の指や図示しない備え付けのペン等によるタッチパネルディスプレイ１０２への接触により入力を行うタッチパネル１０８と、そのタッチパネル１０８による入力を制御する入力制御部１１０と、中央演算処理装置であるＣＰＵ１１２と、読出専用メモリであるＲＯＭ１１４と、随時書込読出メモリであるＲＡＭ１１６と、フラッシュＲＯＭ等の記憶部１１８と、インターフェイス１２０と、リモコン送信部１２２と、無線ＬＡＮ通信部１２４と、コネクタ１２６ａとを、備えて構成されている。上記クレイドル１００には、前記電子早見本装置２２と電気的な接続を可能とするためのコネクタ１２６ｂが設けられており、前記電子早見本装置２２は、前記クレイドル１００に載置されて上記コネクタ１２６ａ及び１２６ｂが接触させられることで、上記インターフェイス１２０を介して前記クレイドル１００乃至はＬＡＮ２４に接続されるようになっている。また、上記記憶部１１８には、前記カラオケ装置１６のカラオケデータベース５１に記憶された多数のカラオケ情報それぞれに対応して曲名、アーティスト名（歌手名）、歌詞の歌い出し部分等の選曲案内情報を選曲番号毎に記憶する演奏曲データベースが設けられている。
【００３０】
上記ＣＰＵ１１２は、上記ＲＡＭ１１６の一時記憶機能を利用しつつ上記ＲＯＭ１１４に予め記憶された所定のプログラムに基づいて電子情報を処理・制御する所謂コンピュータであり、上記記憶部１１８から選曲案内情報を読み出し、上記表示装置１０６を介してその選曲案内情報に基づく所定の案内映像を上記タッチパネルディスプレイ１０２に表示させたり、そのタッチパネルディスプレイ１０２に表示された案内映像に従って上記タッチパネル１０８による入力が行われた場合、カラオケ演奏曲を予約するための選曲信号（選曲予約信号）を上記無線ＬＡＮ通信部１２４等を介して前記カラオケ装置１６に送信する等の基本的な制御を行うものであり、前記リモコン装置６４や携帯電話機８２と同様に前記カラオケ装置１６の入力装置として機能する。
【００３１】
図７は、前記サーバ２０の構成を説明する図である。この図７に示すように、前記サーバ２０は、中央演算処理装置であるＣＰＵ１２８によりＲＡＭ１３２の一時記憶機能を利用しつつＲＯＭ１３０に予め記憶されたプログラムに従って信号処理を行う所謂マイクロコンピュータシステムを備えている。また、ＣＲＴ等の映像表示装置１３４と、その映像表示装置１３４による映像の表示を制御するためのＣＲＴコントローラ１３６と、入力装置であるキーボード１３８と、そのキーボード１３８による入力を処理するためのインターフェイス１４０と、上記ＣＰＵ１２８等を前記通信回線１８に接続するためのモデム１４２と、ハードディスク等の記憶装置１４４とを、備えて構成されている。
【００３２】
上記記憶装置１４４には、多数の演奏曲に関する情報としてそれら演奏曲のカラオケ情報を記憶する演奏曲データベース１４６と、予め登録された利用者（顧客）毎に後述する十八番情報等を記憶する顧客別データベース１４８とが設けられている。上記演奏曲データベース１４６には、例えば、曲名及びアーティスト名（歌手名）等を含むヘッダ情報、演奏情報であるＭＩＤＩデータ、及び歌詞情報等から成るカラオケ情報が選曲番号をインデックスとして各演奏曲毎に記憶されている。この歌詞情報とは、演奏曲の歌詞に対応するテキスト情報、歌詞の出力タイミング情報、及び色替タイミング情報等を含むものであり、好適には、上記カラオケ情報から独立した電子情報として別個（各演奏曲毎）にダウンロード可能とされている。また、上記ＭＩＤＩデータも上記カラオケ情報から独立した電子情報として別個にダウンロード可能とされている。また、上記顧客別データベース１４８には、図８に示すように、顧客の氏名、及び十八番情報等が顧客番号（識別ＩＤ）をインデックスとして各顧客毎に記憶されている。この十八番情報とは、以下に図９を用いて詳述する演奏曲登録機能（十八番機能）により登録された演奏曲の情報であり、例えばその演奏曲の選曲番号、演奏開始位置指定情報、及び演奏終了位置指定情報等を含むものである。この演奏開始位置指定情報及び演奏終了位置指定情報は、演奏曲の登録に際して乃至はそれより後に顧客により設定されるその演奏曲の中途における演奏開始位置及び演奏終了位置を示すものであり、必ずしも設定されなくともよく、またそれらのうち何れか一方のみが設定されていてもよい。なお、上記顧客別データベース１４８に記憶される顧客の識別番号は、顧客が所有する前記携帯電話機８２の電話番号や識別番号等と関連付けられたものであってもよく、その関連付けに関する情報が上記顧客別データベース１４８に共に記憶されていてもよい。
【００３３】
図９は、前記カラオケ装置１６のＣＰＵ４４に備えられた制御機能の要部を説明する機能ブロック線図である。この図９に示す登録手段１５０は、前記電子早見本装置２２、リモコン装置６４、携帯電話機８２等の入力装置による入力操作に応じて、所定の演奏曲の情報を十八番情報として前記サーバ２０の記憶装置１４４に備えられた顧客別データベース１４８に登録する。この十八番情報の登録に際しては、予めその登録を行う利用者の顧客番号が照会され、その顧客（顧客番号）に対応して設けられた記憶スペースに、登録に係る演奏曲の情報として例えばその演奏曲の選曲番号等が登録（記憶）される。また、この登録と同時に乃至はそれより後に、その登録に係る演奏曲を演奏するうえでのアレンジ状態、音程、テンポ等の演奏条件の設定情報を対象となる演奏曲の情報と関連付けて登録し得るようにしてもよい。このようにして前記サーバ２０の記憶装置１４４に記憶された十八番情報は、図１２等を用いて後述するように、前記電子早見本装置２２、リモコン装置６４、携帯電話機８２等の入力装置による直接選曲（選曲番号の入力を要しない選曲）に用いられる。
【００３４】
位置指定手段１５２は、前記電子早見本装置２２、リモコン装置６４、携帯電話機８２等の入力装置による入力操作に応じて、対象となる演奏曲の中途における位置（位置マーカー）を指定する。好適には、斯かる入力装置による入力操作に応じて、対象となる演奏曲の中途における位置を演奏開始位置又は演奏終了位置として指定する。この指定は、対象となる演奏曲における時間情報（演奏時間軸情報）に基づいて行われるものであり、例えばその対象となる演奏曲がＭＩＤＩデータによるものである場合にはステップ値の指定という態様で行われる。この位置指定手段１５２による指定は、上記登録手段１５０による演奏曲の登録と同時に行われるのが好適であるが、既に登録されている演奏曲に付加的に斯かる位置指定が行われるものであってもよく、上記位置指定手段１５２により指定された位置指定情報を対象となる演奏曲の情報と関連付けて前記サーバ２０の記憶装置１４４に備えられた顧客別データベース１４８に上記十八番情報の一部として或いは独立に登録する。上記位置指定手段１５２による位置指定の態様としては、（１）対象となる演奏曲の出力に際しての指定、（２）対象となる演奏曲の歌詞文字映像の一覧表示に基づく指定等が考えられる。以下、図１０及び図１１を用いてこれらを分説する。
【００３５】
図１０は、上記位置指定手段１５２による位置指定に関して前記映像表示装置３０に表示される画面を例示しており、対象となる演奏曲の出力に際しての指定を説明するものである。この対象となる演奏曲の出力に際しての指定すなわち演奏中の指定では、前記カラオケ装置１６によりその対象となる演奏曲が出力（演奏）されている間において、前記電子早見本装置２２、リモコン装置６４、携帯電話機８２等の入力装置により所定の入力操作（例えばリモコン装置６４に備えられた前記複数の釦のうち何れかの釦が押される等の操作）が行われることにより、その操作が行われた時点における時間情報（ステップ値）が位置指定情報として取得される。また、上述のように演奏開始位置及び演奏終了位置が指定される場合には、それらが順次同様の操作（或いは別々の操作）により指定される。
【００３６】
図１１は、前記位置指定手段１５２による位置指定に関して前記映像表示装置３０に表示される画面を例示しており、対象となる演奏曲の歌詞文字映像の一覧表示に基づく指定を説明するものである。この対象となる演奏曲の歌詞文字映像の一覧表示に基づく指定は、好適にはその対象となる演奏曲の出力が行われていない際に実行されるものであり、その指定に先だって図９に示す表示制御手段１５４により前記ＣＲＴコントローラ５６及びビデオミキサ３４等を介して前記映像表示装置３０に図１１に示すような対象となる演奏曲の歌詞文字映像の一覧が表示される。対象となる演奏曲の中途における位置の指定は、この画面表示に従って前記電子早見本装置２２、リモコン装置６４、携帯電話機８２等の入力装置により所定の入力操作が行われることにより実行される。具体的には、前記リモコン装置６４の矢印釦７０等による入力操作により画面に表示されてているカーソル１６０が移動させられ、更にそのリモコン装置６４に備えられた前記複数の釦のうち何れかの釦が押される等の操作が行われることで、そのカーソル１６０が示している位置の時間情報（ステップ値）が位置指定情報として取得される。また、上述のように演奏開始位置及び演奏終了位置が指定される場合には、それらが順次同様の操作（或いは別々の操作）により指定される。なお、上記表示制御手段１５４による歌詞文字映像の一覧表示では、対象となる演奏曲の歌詞文字映像すべてを１つの画面に収めてもよいし、図１１に示すように１番、２番、・・・と分けて表示してもよい。また、この歌詞文字映像の表示に関して前記区分情報が利用されてもよい。
【００３７】
図９の読出手段１５６は、前記電子早見本装置２２、リモコン装置６４、携帯電話機８２等の入力装置による所定の入力操作に応じて、前記サーバ２０の記憶装置１４４に備えられた顧客別データベース１４８からその顧客の十八番情報を読み出す。本実施例では、この読出手段１５６により読み出された十八番情報に基づいて直接選曲（選曲番号の入力を要しない選曲）動作が実行される。具体的には、上記読出手段１５６により読み出された十八番情報に基づいて、前記表示制御手段１５４により前記ＣＲＴコントローラ５６及びビデオミキサ３４等を介して前記映像表示装置３０に図１２に示すような直接選曲画面が表示される。すなわち、前記顧客別データベース１４８から読み出されたその顧客の十八番情報に基づいて、その十八番情報に対応する演奏曲を示す単数乃至は複数の選曲釦１６２が前記映像表示装置３０の画面に表示され、例えば前記リモコン装置６４の矢印釦７０等によりこれら複数の選曲釦１６２のうち何れかが選択（例えば選択対象である釦は枠が太く表示される）され、更にそのリモコン装置６４に備えられた前記複数の釦のうち何れかの釦が押される等の操作が行われることで、その選曲釦１６２に対応する演奏曲の選曲予約が行われ、前記ＲＡＭ４８に設けられた予約曲テーブルに記憶される。このようにして、煩雑な選曲番号の入力を要さずに選曲予約を行うことができる。また、予約に係る十八番情報に位置指定情報（演奏開始位置指定情報及び／又は演奏終了位置指定情報）が付随している場合には、その位置指定情報も併せて前記ＲＡＭ４８に記憶される。
【００３８】
図９の演奏制御手段１５８は、上記読出手段１５６により読み出された対象となる演奏曲の出力に際して、その演奏曲の情報と関連付けられて登録された指定位置情報に基づいてその演奏曲の出力を行う。すなわち、対象となる演奏曲の情報と関連付けられて登録された演奏開始位置指定情報がある場合には、その演奏開始位置指定情報により指定される位置からその対象となる演奏曲の出力を開始する。また、対象となる演奏曲の情報と関連付けられて登録された演奏終了位置指定情報がある場合には、その演奏終了位置指定情報により指定される位置までその対象となる演奏曲の出力を行う。また、対象となる演奏曲の情報と関連付けられて登録された演奏開始位置指定情報及び演奏終了位置指定情報が共にある場合には、その演奏開始位置指定情報により指定される位置から演奏終了位置指定情報により指定される位置までその対象となる演奏曲の出力を行う。このようにして、前記顧客別データベース１４８に記憶された演奏曲の演奏に関して、いちいち頭出し操作や演奏終了（中途終了）操作を行うことなしに所望される部分のみを繰り返し歌うことができる。
【００３９】
また、前記顧客別データベース１４８に十八番登録された演奏曲に関して前記位置指定情報が記憶されている場合であっても、その演奏曲を最初から最後まで歌いたい場合は考えられるので、その対象となる演奏曲の予約乃至は演奏開始前に、前記表示制御手段１５４により前記ＣＲＴコントローラ５６及びビデオミキサ３４等を介して前記映像表示装置３０に図１３に示すような演奏形態選択画面を表示させてもよい。この演奏形態選択画面は、対象となる演奏曲を最初から最後まで演奏する通常の演奏予約を行うための通常演奏予約釦１６４と、登録された位置指定情報に基づいてその位置指定情報により指定される部分の演奏予約を行うための部分演奏予約釦１６６とを選択可能に表示させるものであり、例えば前記リモコン装置６４の矢印釦７０等によりこれら通常演奏予約釦１６４及び部分演奏予約釦１６６のうち何れかが選択（例えば選択対象である釦は枠が太く表示される）され、更にそのリモコン装置６４に備えられた前記複数の釦のうち何れかの釦が押される等の操作が行われることで、それら通常演奏予約釦１６４及び部分演奏予約釦１６６のうち何れかに対応する選曲予約が行われ、その選曲予約内容が前記ＲＡＭ４８に設けられた予約曲テーブル等に記憶される。この選曲予約に対応して、上記演奏制御手段１５８は、上記通常演奏予約釦１６４が押されることにより行われた選曲予約に係る演奏に関しては対象となる演奏曲を最初から最後まで出力し、上記部分演奏予約釦１６６が押されることにより行われた選曲予約に係る演奏に関しては対象となる演奏曲に関連付けられて登録された位置指定情報に基づいてその位置指定情報により指定される部分の出力を行う。
【００４０】
図１４は、前記カラオケ装置１６のＣＰＵ４４による演奏曲登録制御（十八番登録制御）動作の要部について説明するフローチャートであり、所定の周期で繰り返し実行されるものである。なお、この図１４に示す制御は、図１０を用いて前述した対象となる演奏曲の出力に際して位置指定を行う態様を説明している。
【００４１】
先ず、ステップ（以下、ステップを省略する）ＳＡ１において、所定の演奏曲のカラオケ演奏が開始されたか否かが判断される。このＳＡ１の判断が否定される場合には、それをもって本ルーチンが終了させられるが、ＳＡ１の判断が肯定される場合には、ＳＡ２において、前記電子早見本装置２２、リモコン装置６４、携帯電話機８２等の入力装置により所定の演奏開始位置指定入力が行われたか否かが判断される。このＳＡ２の判断が否定される場合には、ＳＡ４以下の処理が実行されるが、ＳＡ２の判断が肯定される場合には、ＳＡ３において、上記入力操作が行われた時点における時間情報（ステップ値）が演奏開始位置指定情報として取得された後、ＳＡ４において、前記電子早見本装置２２、リモコン装置６４、携帯電話機８２等の入力装置により所定の演奏終了位置指定入力が行われたか否かが判断される。このＳＡ４の判断が否定される場合には、ＳＡ６以下の処理が実行されるが、ＳＡ４の判断が肯定される場合には、ＳＡ５において、上記入力操作が行われた時点における時間情報（ステップ値）が演奏終了位置指定情報として取得された後、ＳＡ６において、カラオケ演奏終了であるか否かが判断される。このＳＡ６の判断が否定される場合には、ＳＡ２以下の処理が再び実行されるが、ＳＡ６の判断が肯定される場合には、前記登録手段１５０の動作に対応するＳＡ７において、対象となる演奏曲の選曲番号、位置指定情報、及び顧客番号が前記通信回線１８を介して前記サーバ２０へ送信され、そのサーバ２０の記憶装置１４４に設けられた顧客別データベース１４８に登録された後、本ルーチンが終了させられる。以上の制御において、ＳＡ３及びＳＡ５が前記位置指定手段１５２の動作に対応する。
【００４２】
図１５は、前記カラオケ装置１６のＣＰＵ４４による十八番選曲／演奏制御動作の要部について説明するフローチャートであり、所定の周期で繰り返し実行されるものである。
【００４３】
先ず、ＳＢ１において、前記電子早見本装置２２、リモコン装置６４、携帯電話機８２等の入力装置により所定の十八番選曲操作が行われたか否かが判断される。このＳＢ１の判断が否定される場合には、ＳＢ６以下の処理が実行されるが、ＳＢ１の判断が肯定される場合には、前記読出手段１５６の動作に対応するＳＢ２において、前記サーバ２０の記憶装置１４４に備えられた顧客別データベース１４８からその顧客（顧客番号）に対応する十八番情報（演奏曲の情報及び位置指定情報）が読み出される。次に、前記表示制御手段１５４の動作に対応するＳＢ３において、ＳＢ２にて読み出された十八番情報に基づき前記表示制御手段１５４により前記ＣＲＴコントローラ５６及びビデオミキサ３４等を介して前記映像表示装置３０に図１２に示すような直接選曲画面が表示される。次に、ＳＢ４において、前記映像表示装置３０に表示された画面に基づく所定の選曲入力が行われたか否か、すなわち前記リモコン装置６４等により前記複数の選曲釦１６２のうち何れかが選択入力されたか否かが判断される。このＳＢ４の判断が否定されるうちは、ＳＢ４の判断が繰り返されることにより待機させられるが、ＳＢ４の判断が肯定される場合には、ＳＢ５において、選択された選曲釦１６２に対応する演奏曲の選曲番号が前記ＲＡＭ４８の予約曲テーブルに記憶されると共に、その演奏曲に関連付けられた位置指定情報がそのＲＡＭ４８にその選曲予約と関連付けられて記憶される。次に、ＳＢ６において、対象となる演奏曲すなわちＳＢ５において前記ＲＡＭ４８の予約曲テーブルに記憶された演奏曲の演奏順となり、その演奏が開始されるか否かが判断される。このＳＢ６の判断が否定される場合には、ＳＢ１以下の処理が再び実行されるが、ＳＢ６の判断が肯定される場合には、ＳＢ７において、前記ＲＡＭ４８に対象となる演奏曲と関連付けられて位置指定情報が記憶されているか否かが判断される。このＳＢ７の判断が肯定される場合には、ＳＢ８において、対象となる演奏曲の情報と関連付けられて記憶された指定位置情報に基づいてその演奏曲の出力（すなわち登録部分の出力）が行われた後、本ルーチンが終了させられるが、ＳＢ７の判断が否定される場合には、ＳＢ９において、対象となる演奏曲が最初から最後まで出力される通常の演奏出力制御が行われた後、本ルーチンが終了させられる。以上の制御において、ＳＢ８及びＳＢ９が前記演奏制御手段１５８の動作に対応する。
【００４４】
このように、本実施例によれば、前記電子早見本装置２２、リモコン装置６４、携帯電話機８２等の入力装置による入力操作に応じて、対象となる演奏曲の中途における位置を指定する位置指定手段１５２（ＳＡ３及びＳＡ５）と、その位置指定手段１５２により指定された指定位置を前記対象となる演奏曲の情報と関連付けて前記サーバ２０の記憶装置１４４に登録する登録手段１５０（ＳＡ７）と、その登録手段１５０により登録された対象となる演奏曲の情報及び指定位置を前記記憶装置１４４から読み出す読出手段１５６（ＳＢ２）と、その読出手段１５６により読み出された対象となる演奏曲の出力に際して、その演奏曲の情報と関連付けられて登録された指定位置を演奏開始位置としてその演奏曲の出力を行う演奏制御手段１５８（ＳＢ８及びＳＢ９）とを、有することから、利用者が繰り返し歌う演奏曲においてその演奏開始位置を指定しての登録が可能とされ、所望される部分のみを繰り返し歌う際にいちいち頭出しをする煩雑さが解消される。すなわち、演奏曲の反復演奏における手間を省くことができるカラオケ装置１６を提供することができる。
【００４５】
また、前記位置指定手段１５２は、前記電子早見本装置２２、リモコン装置６４、携帯電話機８２等の入力装置による入力操作に応じて、対象となる演奏曲の中途における位置を演奏開始位置又は演奏終了位置として指定するものであり、前記演奏制御手段１５８は、前記読出手段１５６により読み出された対象となる演奏曲の出力に際して、その演奏曲の情報と関連付けられて登録された演奏開始位置から演奏終了位置までのその演奏曲の出力を行うものであるため、利用者が繰り返し歌う演奏曲においてその演奏開始位置及び演奏終了位置を指定しての登録が可能とされ、所望される部分のみを繰り返し歌う場合における手間を更に省くことができるという利点がある。
【００４６】
また、前記登録手段１５０は、前記演奏曲の情報及び指定位置を利用者の顧客情報と関連付けて前記サーバ２０の記憶装置１４４に登録するものであるため、繰り返し歌う演奏曲においてその演奏開始位置を指定しての登録が利用者毎に可能とされるという利点がある。
【００４７】
また、前記位置指定手段１５２は、前記対象となる演奏曲の出力に際して行われる前記電子早見本装置２２、リモコン装置６４、携帯電話機８２等の入力装置による入力操作に応じて、その対象となる演奏曲の中途における位置を指定するものであるため、対象となる演奏曲の中途における位置を実用的な態様で指定できるという利点がある。
【００４８】
また、前記対象となる演奏曲の歌詞文字映像を映像表示装置３０に一覧表示させる表示制御手段１５４を有し、前記位置指定手段１５２は、その表示制御手段１５４により表示される対象となる演奏曲の歌詞文字映像の一覧表示に基づいて行われる前記電子早見本装置２２、リモコン装置６４、携帯電話機８２等の入力装置による入力操作に応じて、その対象となる演奏曲の中途における位置を指定するものであるため、対象となる演奏曲の中途における位置を実用的な態様で指定できるという利点がある。
【００４９】
また、本実施例によれば、前記カラオケ装置１６と、前記記憶装置１４４を備え、前記通信回線１８を介してそのカラオケ装置１６との間で情報の通信を行い得るサーバ２０とを、備えたものであることから、利用者が繰り返し歌う演奏曲においてその演奏開始位置を指定しての登録が可能とされ、所望される部分のみを繰り返し歌う際にいちいち頭出しをする煩雑さが解消される。すなわち、演奏曲の反復演奏における手間を省くことができるカラオケシステム１０を提供することができる。
【００５０】
以上、本発明の好適な実施例を図面に基づいて詳細に説明したが、本発明はこれに限定されるものではなく、更に別の態様においても実施される。
【００５１】
例えば、前述の実施例において、前記演奏制御手段１５８は、対象となる演奏曲の演奏開始に際してその演奏曲の情報と関連付けられて登録された位置指定情報を参照し、その指定位置情報に基づく出力を行うものであったが、本発明はこれに限定されるものではなく、例えば、対象となる演奏曲の演奏中において前記指定位置情報に基づく頭出しを行うものであってもよい。図１６は、そのように対象となる演奏曲の演奏中において前記指定位置情報に基づく頭出しを行う態様について説明する図である。斯かる態様では、図１６に示すように、対象となる演奏曲の出力中において前記電子早見本装置２２、リモコン装置６４、携帯電話機８２等の入力装置により所定の入力操作（ジャンプ操作）が行われると、その演奏曲におけるどの部分を演奏している場合であっても予め設定された指定位置（位置マーク）から改めて演奏が開始される。すなわち、その時点における再生位置に拘わらず予め設定された指定位置にジャンプさせられ、その指定位置から再生が開始される。このようにすれば、最も簡易且つ実用的な形態で演奏曲の反復練習における利用者の手間を省くことができる。
【００５２】
また、前述の実施例において、前記登録手段１５０は、前記電子早見本装置２２、リモコン装置６４、携帯電話機８２等の入力装置による入力操作に応じて十八番情報すなわち対象となる演奏曲の情報及び位置指定情報等を前記サーバ２０の記憶装置１４４に登録するものであったが、十八番情報の登録が行われる記憶装置は必ずしも前記通信回線１８を介して接続されたサーバ２０の記憶装置１４４でなくともよく、例えば、前記店舗１２内においてマスターコマンダとして機能するカラオケ装置１６ａに備えられたハードディスク５０や、前記電子早見本装置２２の記憶部１１８等に斯かる十八番情報を登録（記憶）するものであっても構わない。
【００５３】
また、前述の実施例では、カラオケ情報配信用のホスト装置として機能するサーバ２０に備えられた記憶装置１４４に顧客別データベース１４８を設けた例を説明したが、斯かるホスト装置とは別にデータベースサーバを設置し、そのデータベースサーバに前記顧客別データベース１４８を設けても当然に構わない。
【００５４】
また、前述の実施例では、前記表示制御手段１５４は、前記ＣＲＴコントローラ５６及びビデオミキサ３４等を介して前記映像表示装置３０に図１０乃至図１３に示すような画面を表示させるものであり、前記登録手段１５０、位置指定手段１５２、及び読出手段１５４は、斯かる画面の表示に従って十八番登録制御及び十八番演奏制御を行うものであったが、前記電子早見本装置２２の表示制御部１０６を介してタッチパネルディスプレイ１０２に図１０乃至図１３に示すような画面を表示させ、その画面の表示に従って前記制御を行うものであっても構わない。
【００５５】
また、前述の実施例では、対象となる演奏曲の中途における位置として演奏開始位置及び演奏終了位置をそれぞれ１つずつ指定することでその演奏曲の１区間を登録する態様について説明したが、前記演奏開始位置及び演奏終了位置をそれぞれ複数ずつ指定することで対象となる演奏曲の中途における複数区間を登録し得るようにしても構わない。
【００５６】
また、前記カラオケ装置１６のマイクロフォン４０から入力される音声の音程、音量、テンポ等に基づいて歌唱の評価を行う歌唱評価手段を前記ＣＰＵ４４に設け、前記区分情報等に基づいて対象となる演奏曲の歌唱を区間毎に評価し、評価が低い区間を「繰り返し練習部分候補」として前記表示制御手段１５４により前記ＣＲＴコントローラ５６及びビデオミキサ３４等を介して前記映像表示装置３０に表示させ、前記電子早見本装置２２、リモコン装置６４、携帯電話機８２等の入力装置による入力操作に応じてその表示に基づく位置指定制御を行う態様も考えられる。
【００５７】
その他、一々例示はしないが、本発明はその趣旨を逸脱しない範囲内において種々の変更が加えられて実施されるものである。
【図面の簡単な説明】
【００５８】
【図１】本第２発明の一実施例であるカラオケシステムを説明する概略図である。
【図２】本第１発明の一実施例であるカラオケ装置の構成を例示するブロック線図である。
【図３】図２のカラオケ装置に備えられた入力装置としてのリモコン装置の操作部を例示する図である。
【図４】図２のカラオケ装置の入力装置として機能する携帯電話機の操作部を例示する図である。
【図５】図２のカラオケ装置に備えられた入力装置としての電子早見本装置の外観を大まかに示す斜視図である。
【図６】図５の電子早見本装置の構成を説明するブロック線図である。
【図７】図１のカラオケシステムに備えられたサーバの構成を説明する図である。
【図８】図８のサーバの記憶装置に設けられた顧客別データベースの内容を例示する図である。
【図９】図２のカラオケ装置のＣＰＵに備えられた制御機能の要部を説明する機能ブロック線図である。
【図１０】図２のカラオケ装置による位置指定に関して映像表示装置に表示される画面を例示しており、対象となる演奏曲の出力に際しての指定を説明するものである。
【図１１】図２のカラオケ装置による位置指定に関して映像表示装置に表示される画面を例示しており、対象となる演奏曲の歌詞文字映像の一覧表示に基づく指定を説明するものである。
【図１２】図２のカラオケ装置による十八番選曲に関して映像表示装置に表示される直接選曲画面を例示する図である。
【図１３】図２のカラオケ装置による十八番選曲に関して映像表示装置に表示される演奏形態選択画面を例示する図である。
【図１４】図２のカラオケ装置のＣＰＵによる演奏曲登録制御（十八番登録制御）動作の要部について説明するフローチャートである。
【図１５】図２のカラオケ装置のＣＰＵによる十八番演奏制御動作の要部について説明するフローチャートである。
【図１６】図２のカラオケ装置によるカラオケ演奏において、演奏中途に指定位置呼び出しを行い指定位置にジャンプする態様を説明する図である。
【符号の説明】
【００５９】
１０：カラオケシステム
１６：カラオケ装置
１８：通信回線
２０：サーバ
２２：電子早見本装置（入力装置）
３０：映像表示装置
６４：リモコン装置（入力装置）
８２：携帯電話機（入力装置）
１４４：記憶装置
１５０：登録手段
１５２：位置指定手段
１５４：表示制御手段
１５６：読出手段
１５８：演奏制御手段
【図１】
2007199417.tif 000003
【図２】
2007199417.tif 000004
【図３】
2007199417.tif 000005
【図４】
2007199417.tif 000006
【図５】
2007199417.tif 000007
【図６】
2007199417.tif 000008
【図７】
2007199417.tif 000009
【図８】
2007199417.tif 000010
【図９】
2007199417.tif 000011
【図１０】
2007199417.tif 000012
【図１１】
2007199417.tif 000013
【図１２】
2007199417.tif 000014
【図１３】
2007199417.tif 000015
【図１４】
2007199417.tif 000016
【図１５】
2007199417.tif 000017
【図１６】
2007199417.tif 000018